(57)【特許請求の範囲】
【請求項１】
電子機器ユニットを複数連結して構成される電子機器の前記電子機器ユニット間のグランド電位接続機構において、
前記各電子機器ユニットは、前記各電子機器ユニットの内部基板の各グランド電位を電気的に接続するための第１の係合部と第２の係合部を備える電極金具と、前記各電子機器ユニット間を電気的に接続するためのピンを備えるコネクタを有し、
前記電子機器ユニットが互いに連結された状態で、前記電極金具の第１の係合部が、隣接する前記電子機器ユニットの前記電極金具の第２の係合部と弾性的に係合することにより、隣接する前記電子機器ユニットの各グランド電位が電気的に接続されると同時に前記ユニット間のコネクタが電気的に接続されることを特徴とするの電子機器ユニット間のグランド電位接続機構。
【請求項２】
前記電極金具は、前記第１の係合部と、前記第２の係合部が屈曲部を有することを特徴とする請求項２に記載の電子機器ユニット間のグランド電位接続機構。
【請求項３】
前記電極金具は、前記第１の係合部が平坦部を有し、前記第２の係合部が屈曲部を有することを特徴とする請求項２に記載の電子機器ユニット間のグランド電位接続機構。
【発明の詳細な説明】
【０００１】
【産業上の利用分野】
本発明は、複数の電子機器ユニット間のグランド電位を接続するための構造に関する。
【０００２】
【従来の技術及びその課題】
複数の電子機器ユニットからなる電子機器、例えばプログラマブルコントローラ等の電子機器において、耐ノイズ性能を向上させるためには各ユニットのグランド電位を安定させる必要がある。
【０００３】
そこで、従来、図５に示すように、電極金具５０を有するベースユニット５１を用意し、ベースユニット５１上に設けられた各コネクタ５２に、プログラマブルコントローラの各ユニット５３を装着し、電極金具５０と前記各ユニット５３のグランド電位を電気的に接続することにより、前記各ユニット５３のグランドのインピーダンスを下げてグランド電位を安定させ、耐ノイズ性能を向上させている。
【０００４】
前記従来の方法では、電極金具５０により安定したグランド電位は得られるが、ベースユニットに装着可能な電子機器ユニットの個数は限られており、例えば４個の電子機器ユニットを使用する場合でよいときでも、５個用のベースユニットを用いなければならない等、電子機器の小型化には適していない。
【０００５】
一方、ベースユニットを用いずに複数の電子機器ユニットを連結して構成されるプログラマブルコントローラが提案されている。このプログラマブルコントローラの各電子機器ユニットはコネクタにより電気的に接続される。またグランド電位は、前記コネクタのピンの１本または複数本をグランド電位接続用に割り当てることにより、各ユニット間で電気的に接続されている。
【０００６】
しかし、この方法におけるプログラマブルコントローラのグランド電位は、前記コネクタの１本または複数本により電気的に接続されているだけなので、グランドのインピーダンスを下げることができず、耐ノイズ性能を向上させることができないという問題がある。
【０００７】
本発明は、上記従来の問題点に鑑みてなされたもので、安定したグランド電位を得て耐ノイズ性能を向上でき、しかも電子機器を小型化できる電子機器ユニット間のグランド電位接続機構を提供することを目的とする。
【０００８】
【課題を解決するための手段】
請求項１の発明は、電子機器ユニットを複数連結して構成される電子機器の前記電子機器ユニット間のグランド電位接続機構において、前記各電子機器ユニットは、前記各電子機器ユニットの内部基板の各グランド電位を電気的に接続するための第１の係合部と第２の係合部を備える電極金具と、前記各電子機器ユニット間を電気的に接続するためのピンを備えるコネクタを有し、前記電子機器ユニットが互いに連結された状態で、前記電極金具の第１の係合部が、隣接する電子機器ユニットの前記電極金具の第２の係合部と弾性的に係合することにより、隣接する前記電子機器ユニットの各グランド電位が電気的に接続されると同時に前記ユニット間のコネクタが電気的に接続されることを特徴としている。
【０００９】
請求項２の発明は、請求項１において、前記第１の係合部と、前記第２の係合部が屈曲部を有することを特徴としている。請求項３の発明は、請求項１において、前記第１の係合部が平坦部を有し、前記第２の係合部が屈曲部を有することを特徴としている。
【００１０】
【作用】
請求項１の発明に係る電子機器ユニット間のグランド電位接続機構では、各電子機器ユニットが互いに連結された状態で、隣接する電子機器ユニットの各電極金具が電気的に接続されることにより、各電子機器ユニット間のグランド電位が接続される。このとき、各電子機器ユニットのグランドはコネクタに割り当てられたピンによる接続ではなく、各電子機器ユニットに設けられた電極金具による接続であるため、電子機器の小型化を妨げることなく、グランド電位のインピーダンスを下げることができ、この結果、グランド電位が安定するので、耐ノイズ性能を向上させることができる。また各電極金具が互いに接続されるときには、電子機器ユニットの第１の係合部が、該電子機器ユニットに隣接する電子機器ユニットの第２の係合部と弾性的に係合する。これにより、電子機器が振動の多い環境下に設置されていても、電極金具の接続状態を強固にでき、耐ノイズ性能を向上させることができる。
【００１２】
【実施例】
以下、本発明の一実施例を添付図面に基づいて説明する。
図１及び図２に示すように、プログラマブルコントローラの各電子機器ユニット１，２はそれぞれケース３，４を有している。ケース３，４には、互いを連結するための連結部材５，６がそれぞれ設けられている。
【００１３】
連結部材５は爪部７を有しており、ケース４に形成された係合孔８内に該爪部７が係合することにより、各ユニット１，２が互いに機械的に連結されるようになっている。連結部材６を用いて他のユニットを連結する場合も同様である。またユニット連結時には、コネクタ９により各ユニット１，２が電気的に接続される。
【００１４】
ケース３，４には、各ケース内の基板（図示せず）と電気的に接続された電極金具１０，１１が取り付けられている。電極金具１０，１１は、例えばリン青銅等の金属板を図３に示すような形状に成形したものであり、主に、底壁部ａと、グランド接続のための平坦部ｂ及び屈曲部ｃとから構成されている。電極金具１０と１１とは底壁部ａの長さＬのみが異なり、該長さＬはユニット連結方向の幅に依存している。
【００１５】
次に、各ユニット１，２を連結する際、各ユニット１，２を図２のように対向配置させると、ユニット１側電極金具１０の屈曲部１０ｃと、ユニット２側電極金具１１の平坦部１１ｂとが図４（ａ）（図２の断面部分図）に示すような位置関係で配置される。この状態から、連結部材５により各ユニット１，２を連結すると（図１の状態）、図４（ｂ）（図１の断面部分図）に示すように、屈曲部１０ｃが平坦部１１ｂにより変形させられて、両者が弾性的に係合する。
【００１６】
この場合には、グランド電位は電極金具１０，１１による接続であるため、グランド電位のインピーダンスは低く、耐ノイズ性能は高い。しかも、電極金具同士の接続が単なる接触ではなく、屈曲部１０ｃの弾性変形による強固な係合なので、振動の多い環境下においても電極金具同士の結合が外れることがなくなり、耐ノイズ性能を向上できる。
【００１７】
また、ベースユニットを別個設ける必要がなくなるので、プログラマブルコントローラを小型化できる。
【００１８】
さらに、各ユニットを連結する際に、電極金具１０，１１の接続を意識しなくても各ユニット１，２を互いに連結するときに同時に電極金具１０，１１が互いに係合するので、プログラマブルコントローラの各ユニット間の接続が容易である。
【００１９】
なお、前記実施例では、電極金具１０，１１の各一端部にのみ屈曲部を形成したが、これは各両端部に形成してもよい。また屈曲部の形状も図３，図４に示すものに限定されない。また電極金具の材質もリン青銅に限らず、他の金属であってもよい。
【００２０】
また前記実施例ではプログラマブルコントローラを例にとったが、本発明は他の電子機器にも同様に適用できるものである。
【００２１】
【発明の効果】
以上のように、本発明に係る電子機器ユニット間のグランド電位接続機構によれば、各電子機器ユニットに電極金具を設け、電子機器ユニットが互いに連結された状態で、隣接する電子機器ユニットの各グランド電位を電極金具により電気的に接続するようにしたので、グランド電位を安定させて耐ノイズ性能を向上でき、しかも電子機器を小型化できる効果がある。
【図面の簡単な説明】
【図１】本発明の一実施例によるグランド電位接続機構が適用されたプログラマブルコントローラのユニット連結後の全体斜視図。
【図２】前記プログラマブルコントローラのユニット連結前の全体斜視図。
【図３】前記プログラマブルコントローラの各電子機器ユニットに装着される電極金具の全体斜視図。
【図４】前記ユニットの連結前後における電極金具の係合状態を説明するための図であり、（ａ）は図２の断面部分図、（ｂ）は図１の断面部分図。
【図５】従来のグランド電位接続機構を示す図１に相当する図。
【符号の説明】
１，２                    電子機器ユニット
３，４                    ケース
５，６                    連結部材
１０，１１                電極金具
１０ｃ                    屈曲部（第１の係合部）
１１ｂ                    平坦部（第２の係合部）
【図１】
0003677633.tif 000002
【図２】
0003677633.tif 000003
【図３】
0003677633.tif 000004
【図４】
0003677633.tif 000005
【図５】
0003677633.tif 000006